(57)【要約】【課題】面状発光する発光面が設けられた照明器具であって、簡単に設置できると共に、調整可能な照射範囲が大きい照明器具を提供する。【解決手段】照明器具Ｗであって、扁平な薄箱状に形成され、その内部に光源２０が収容されていると共に一方面に面状発光する発光面ＬＳが設けられている照明ユニット１と、棒状に形成されており、且つ一端部が照明ユニット１の裏面に回動自在に取り付けられたアーム部４とを有し、アーム部４は、その他端部に、照明器具用の配線ダクト６に着脱自在に接続されるプラグ５が設けられている。【選択図】図１
2019029176.tif 000002
【特許請求の範囲】
【請求項１】
扁平な薄箱状に形成され、その内部に光源が収容されていると共に一方面に面状発光する発光面が設けられている照明ユニットと、
棒状に形成されており、且つ一端部が前記照明ユニットの他方面に回動自在に取り付けられて該照明ユニットを保持するアーム部とを有し、
前記アーム部は、その他端部に、照明器具用の配線ダクトに着脱自在に接続されるプラグが設けられていることを特徴とする照明器具。
【請求項２】
前記配線ダクトに前記プラグを接続して前記アーム部を介して該配線ダクトに前記照明ユニットを取り付けた状態にすると、前記アーム部に対して前記照明ユニットが所定角度の範囲で回動できるようになっており、
前記照明ユニットは、前記発光面が所定角度のなかの任意の角度に維持された状態で、前記アーム部に保持されるようになっていることを特徴とする請求項１に記載の照明器具。
【請求項３】
前記照明ユニットの他方面には、該他方面に対して回動自在に取り付けられた連結部材が設けられ、
前記アーム部は、第１アーム部及び第２アーム部により構成され、
前記第１アーム部及び前記第２アーム部は、それぞれ、一端部が前記連結部材に固着され且つ他端部に前記プラグが設けられ、該連結部材を介して前記照明ユニットの他方面に回動自在に取り付けられていることを特徴とする請求項1又は２に記載の照明器具。
【請求項４】
一端部が前記プラグの側面部に取り付けられ且つ他端部が前記照明ユニットの裏面の縁部近傍に取り付けられているシリンダーを有し、
前記シリンダーは、シリンダーチューブと、該シリンダーチューブ内を摺動自在に往復動作するピストンと、一端部が前記ピストンに固定され且つ他端部が該シリンダーチューブから突出したピストンロッドとを有し、
前記ピストンロッドを伸縮させることにより、前記アーム部に対して前記照明ユニットを回動させることができるようになっていることを特徴とする請求項１〜３のいずれかに記載の照明器具。
【発明の詳細な説明】
【技術分野】
【０００１】
本発明は、面状発光する発光面が設けられた照明器具に関する。
【背景技術】
【０００２】
従来から、面状発光する発光面が設けられた面状発光型照明器具が知られている。例えば、特許文献１には、面状な光の照射方向（配光方向）を調整できるようにした面状発光型照明システムが開示されている。
【０００３】
特許文献１に記載された面状発光型照明システムは、面状発光素子を備えた面状発光型照明器具と、この面状発光型照明器具を伸縮自在に支持する脚部（２本（或いは４本）の脚部）と、天井面に設置され且つ前記脚部の上端を支持・固定する本体（ベース部）とを備えている。天井に設置されたベース部は、箱状に形成されており、その内部に面状発光型照明器具に電力を供給する電源部や面状発光型照明器具の制御を行う制御回路等が収容されている。
【０００４】
上記の面状発光型照明器具は、矩形のパネル状に形成されており、一方面（下面）が面状の光を照射する発光面になっており、他方面（裏面）が非発光面になっている。また、上記の脚部は、その下端部が面状発光型照明器具の裏面を支持していると共に、ダンパー構造を備えており、伸縮して任意の長さ寸法に設定できるようになっている。
【０００５】
上記のように構成された面状発光型照明システムは、脚部の長さ寸法を調整することにより、発光面の角度を所望角度に設定できるようになっている（照射方向の調整ができるようになっている）。
【０００６】
【特許文献１】特許第５２０７５２０号公報
【発明の開示】
【発明が解決しようとする課題】
【０００７】
しかし、上述した従来技術の面状発光型照明システムは、設置先となる建物の天井に、箱状に形成されたベース部（本体部）を設置する工事を行う必要があり（天井造作が必要になり）、設置作業に手間がかかるという課題を有している。また、上述した従来技術は、複数の脚部を伸縮させて脚部の長さ寸法を調整することにより発光面の角度を設定しており、発行面の角度（照射角度）の設定が面倒であるという課題も有している。
なお、上述した従来技術は、ベース部に固定された脚部を伸縮させることにより照射方向の調整をしているため、調整できる照射範囲がベース部の位置に依存され、調整可能な照射範囲が狭いものになっていた。
【０００８】
本発明は、上記の課題を解消するためになされたものであり、その目的は、面状発光する発光面が設けられた照明器具であって、簡単な作業で設置できると共に、照射角度の調整を容易にできる照明器具を提供することにある。
【課題を解決するための手段】
【０００９】
上記課題を解決するためになされた本発明は、照明器具であって、扁平な薄箱状に形成され、その内部に光源が収容されていると共に一方面に面状発光する発光面が設けられている照明ユニットと、棒状に形成されており、且つ一端部が前記照明ユニットの他方面に回動自在に取り付けられて該照明ユニットを保持するアーム部とを有し、前記アーム部は、その他端部に、照明器具用の配線ダクトに着脱自在に接続されるプラグが設けられていることを特徴とする。
【００１０】
また、前記配線ダクトに前記プラグを接続して前記アーム部を介して該配線ダクトに前記照明ユニットを取り付けた状態にすると、前記アーム部に対して前記照明ユニットが所定角度の範囲で回動できるようになっており、前記照明ユニットは、前記発光面が所定角度のなかの任意の角度に維持された状態で、前記アーム部に保持されるようになっていることが望ましい。
【００１１】
上記の構成によれば、比較的に設置が容易な配線ダクトを天井に取り付けておけば、配線ダクトにプラグを接続するだけで、面状な光を照射する照明器具を取り付けることができる。すなわち、本発明は、上述した従来技術のように天井に箱状のベース部を設置する必要がないため（天井造作が不要なため）、設置コストを軽減できる。また、本発明によれば、従来技術と比べて器具の総重量を減らすことができ、建築物に対する負荷が軽減される。
また、上記の構成によれば、上述した従来技術のように、複数の脚部を伸縮させることで発光面の角度を調整して設定するのではなく、照明ユニットの端部などを上下に動作させるという簡単な作業により、アーム部に対して照明ユニットを回動させて、発光面の角度（照射方向）を設定することができる。
【００１２】
さらに、本発明の照明器具は、配線ダクトの任意の位置に取り付けることができるため、上述した従来技術のように、調整可能な照射範囲が天井に設置したベース部に依存することがなく、調整可能な照射範囲が広くなる。
【００１３】
また、本発明の照明器具は、配線ダクトに取り付けることができるため、例えば、配線ダクトにスポットライトが取り付けられているような店舗やショールーム等の施設に対して、スポットライトの代わりに、面状な光を照射する「本発明の照明器具」を取り付けることで、照明器具の設置台数を減らすことができる。この場合、局部照明であるスポットライトに代わりに、広く均一な配光の照明器具が取り付けられ、既設の施設の雰囲気を簡単に変更できる。すなわち、本発明によれば、配線ダクトにスポットライトが取り付けられている施設（店舗やショールーム等の施設）に対して、大がかりな工事をすることなく、施設の照明イメージを変えることができる。
【００１４】
また、前記照明ユニットの他方面には、該他方面に対して回動自在に取り付けられた連結部材が設けられ、前記アーム部は、第１アーム部及び第２アーム部により構成され、前記第１アーム部及び前記第２アーム部は、それぞれ、一端部が前記連結部材に固着され且つ他端部に前記プラグが設けられ、該連結部材を介して前記照明ユニットの他方面に回動自在に取り付けられていることが望ましい。
【００１５】
このように、本発明では、薄箱状に形成された照明ユニットに回動自在に取り付けられた連結部材に、２本のアーム部（第１アーム部、第２アーム部）を固着させる構成を採用することで、アーム部に対して照明ユニットが所定角度の範囲で回動できるようにしている。この構成によれば、アーム部の剛性を上げることができると共に可動時の動きを均一化させることができる。また、この構成によれば、可動時におけるねじれや負荷が照明ユニットに直接伝わることが抑制されるため、より簡単に、照明ユニットの所望位置への固定ができるようになる。
【００１６】
また、一端部が前記プラグの側面部に取り付けられ且つ他端部が前記照明ユニットの裏面の縁部近傍に取り付けられているシリンダーを有し、前記シリンダーは、シリンダーチューブと、該シリンダーチューブ内を摺動自在に往復動作するピストンと、一端部が前記ピストンに固定され且つ他端部が該シリンダーチューブから突出したピストンロッドとを有し、前記ピストンロッドを伸縮させることにより、前記アーム部に対して前記照明ユニットを回動させることができるようになっていても良い。
【００１７】
このように、本発明によれば、シリンダーにより、照明ユニットの発光面の角度を調整できる。そのため、例えば、リモコン端末により操作できるシリンダーを用いるようにすれば、天井に設置された配線ダクトに吊り下げられた状態で取り付けられた照明器具に対して、ユーザは、脚立等を使うことなく、リモコン端末を操作することにより、照明器具の発光面の角度を調整することができる。すなわち、本発明によれば、ユーザが高所で、発光面の角度を調整する作業を行う必要がなくなり作業の安全性が確保されると共に、調整作業が簡略化される。
【発明の効果】
【００１８】
本発明によれば、面状発光する発光面が設けられた照明器具であって、簡単な作業で設置できると共に、照射角度の調整を容易にできる照明器具を提供することができる。
【図面の簡単な説明】
【００１９】
【図１】本発明の実施形態の照明器具を示した模式図であり、（ａ）が本実施形態の照明器具の側面を示した模式図であり、（ｂ）が本実施形態の照明器具の発光面を示した模式図である。
【図２】本発明の実施形態の照明器具の裏面から見た模式図である。
【図３】本発明の実施形態の照明器具の照明ユニットの構成を説明するための模式図である。
【図４】本発明の実施形態の照明器具を配線ダクトに取り付けた状態を示した模式図である。
【図５】本発明の実施形態の照明器具の照明ユニットの動作を説明するための模式図である。
【図６】本発明の実施形態の照明器具の変形例を示した模式図である。
【発明を実施するための最良の形態】
【００２０】
以下、本発明の実施形態の面状発光型照明器具（以下、単に「照明器具」という）Ｗについて図面に沿って説明する。
先ず、本実施形態の照明器具Ｗの概略構成について、図１、２を参照しながら説明する。
【００２１】
図示するように、本実施形態の照明器具Ｗは、扁平な薄箱状に形成された照明ユニット１と、照明ユニット１の裏面（他方面）に回動自在に取り付けられて照明ユニット１を保持するアーム部４とを有している。
また、照明ユニットＷは、内部に光源２０が収容されており、その表面（一方面）に面状発光する（面状の光を照射する）発光面ＬＳが設けられている。また、アーム部４は、棒状の形成されており、その一端部が照明ユニット１の裏面に回動自在に取り付けられ、その他端部（後端部）に、照明器具用の配線ダクト（ライティングレール）６に着脱自在に接続されるプラグ５が設けられている。
【００２２】
なお、本実施形態では、図２に示すように、２本のアーム部４（第１アーム部、第２アーム部）が、角筒状の連結部材３（具体的な構成は後述する）を介して、照明ユニット１の裏面に回動自在に取り付けられている例を示しているが、特にこの構成に限定されるものではない。アーム部４の一端部が、直接、照明ユニット１の裏面（他方面）に回動自在に取り付けられていてもよい。
【００２３】
このように、本実施形態によれば、アーム部４に対して照明ユニット１を回動させるという簡単な作業により、発光面LSの角度（照射方向）を調整して設定することができる。また、本実施形態によれば、設置が容易な配線ダクト６に、プラグ５を接続するという簡単な作業により、面状発光する照明器具Ｗを設置することができる。そして、本実施形態の照明器具Ｗは、上述した従来技術のように天井に、箱状のベース部を設置する必要がないため（天井造作が不要のため）、上述した従来技術と比べて、設置コストが軽減される。
【００２４】
また、本実施形態の照明器具Ｗは、配線ダクト６の任意の位置に取り付けることができるため、上述した従来技術のように、調整可能な照射範囲が天井に設置されたベース部に依存して制限されることがなく、上述した従来技術と比べて、調整可能な照明範囲が大きくなる。
【００２５】
次に、本実施形態の照明器具Ｗの各構成部について順番に説明する。
【００２６】
最初に、本実施形態の照明ユニットの構成について、上述した図１と、図３を参照しながら説明する。
なお、図３は、本実施形態の照明ユニットの構成を説明するための模式図である。
【００２７】
照明ユニット１は、扁平な中空の薄箱状に形成されていると共に、一方面が開口しているケース部１０と、ケース部１０の内部の左右両側に相対向するように収容されている１対の光源２０と、ケース部１０の開口を塞ぐ透明なアクリル板（以下「導光版」という）１１と、導光板１１の一方面（表面）に取り付けられた拡散板１３と、導光板１１の他方面（裏面）に取り付けられた反射板１２とを備えている。
【００２８】
上記のケース部１０は、平面視略矩形の枠状のフレーム部１０ａと、フレーム部１０ａの他方面を塞ぐ裏板１０ｂとを備えている。また、ケース部１０は、４片のうちの相対向する2片（図１に示す左右の２片）に、それぞれ、光源２０が収容されている。
なお、フレーム部１０ａは、例えば、アルミニウム等の金属により形成されている。また、裏板１０ｂは、例えば、合成樹脂やアルミニウム等の金属により形成されている。
【００２９】
また、光源２０は、配線パターンが設けられた基板２０ｂに複数のＬＥＤ素子２０ａが搭載されたLED基板ユニットにより構成されている。上記の基板２０ｂは、長方形状に形成されており、その一方面に長手方向に沿って、複数のＬＥＤ素子２０ａが並列に配置されている。
そして、1対の光源２０は、ケース部１０の左右両側に、それぞれ、ＬＥＤ素子２０ａ同士が相対向するように配置されている。すなわち、ケース部１０の左辺側に配置・収容された光源２０のＬＥＤ素子２０ａは、ケース部１０の右辺側に配置・収容された光源２０のＬＥＤ素子２０ａと相対向するように配置されている。
【００３０】
導光板１１は、透光性を有している。また、導光板１１は、矩形・平板状に形成されている。また、導光板１１は、左右両辺が、ケース部１０の左辺側に配置・収容されたＬＥＤ素子２０ａと、ケース部１０の右辺側に配置・収容されたＬＥＤ素子２０ａとに挟持されるように配置されている。そして、導光板１１の左右両辺が、ＬＥＤ素子２０ａから照射された光の入射面になっている。
また、導光板１１の裏面には、当該裏面全体を覆う反射板１２が取り付けられ、導光板１１の表面には、当該表面全体を覆う例えばポリエチレン製の拡散板１３が取り付けられている。
なお、反射板１２は、導光板１１の裏面側の光を反射せて導光板１１の表面側に導く役割を果たし、拡散板１３は、導光板１１の表面側に導かれる光を拡散させて出光させる役割を果たしている。また、反射板１２にはアクリルで形成されたものを用いることができる。また、拡散板１３については、ポリエチレン製ではなく、アクリルで形成されたものを用たり、或いは、ポリカーボネイトなど他の樹脂材で形成されたものを用いたりすることもできる。
【００３１】
上記の構成によれば、複数のＬＥＤ素子２０ａから照射された光が導光板１１の側面から入射すると共に、入射した光が導光板１１の表裏面（すなわち、反射板１２及び拡散板１３との間）で反射を繰り返して通過しながらアクリル板１２の表面側の拡散板１３から面状の光となって照射される。このように、本実施形態の照明器具Ｗは、導光板１１の表面側に設けた拡散板１３の表面が面状発光する発光面ＬＳになっている。
【００３２】
次に、連結部材３について図１及び図３を参照しながら説明する。
連結部材３は、角筒状に形成されており、その一方面（下面）が、ケース部１０の裏面の中央部分に、１対のヒンジ部Ｈを介して回動自在に取り付けられている。また、連結部材３は、他方面（上面）に、２本のアーム部３の先端部が固着されている。本実施形態では、２本のアーム部３は、連結部材３の長手方向の両端部の位置に、それぞれ、固着されている。
なお、上記のヒンジ部Hは、連結部材３の下面を基準にして、所定角度（例えば、９０度）の範囲で照明ユニット１を回動させると共に、所定角度の範囲のなかの任意の位置に照明ユニット１を維持した状態で保持することができるように構成されている。
【００３３】
このように、本実施形態では、薄箱状に形成された照明ユニット１（本体）を回動できるようにするために、ケース部１０の裏面の中央部分に１対のヒンジ部Ｈを介して回動自在に取り付けられ連結部材３に、2本のアーム部４の下端部を固着する構成を採用している。この構成によれば、ヒンジ部Ｈから見て、アーム部４及び照明ユニット１の両者がそれぞれ、回動に対してねじれにくくなるという効果が得られる。その結果、本実施形態によれば、アーム部４の剛性を上げることができると共に可動時の動きを均一化させることができる。また、本実施形態によれば、可動時のねじれや負荷が照明ユニット１に直接伝わることが抑制されるため（ねじれや負荷の影響で、予期していない位置まで回動することが抑制されるため）、より簡単に、照明ユニットの所望位置への固定ができるようになる。
【００３４】
また、連結部材３は、内部に光源２０のオン・オフ制御や調光制御を行う制御回路（図示せず）と、この制御回路に電気的に接続された電源部（図示せず）とが収容されている。なお、上記の制御回路は、図示しない電線を介して光源２０に電気的に接続されている。
【００３５】
また、連結部材３の上面には、ユーザから回転操作を受け付ける調光用ボリュームスイッチＳＷが設けられている。調光用ボリュームスイッチＳＷは、円柱状に形成されており、光源２０の「オン・オフ」の指示や調光量の指示を受け付けるように構成されている。なお、調光用ボリュームスイッチＳＷは、制御回路に電気的に接続されており、制御回路に対して、ユーザからの回転操作に応じた調光ボリューム値を設定したり、光源２０へのオン・オフを設定したりする。また、制御回路は、電源部からの電力の供給を受けると共に、光源部２０に対して、設定されている調光ボリューム値に対応した電力を供給する。
【００３６】
次にアーム部４について図１を参照しながら説明する。
アーム部４は、中空の棒状（図示する例では円筒状）に形成されており、その一端部（下端部）が連結部材３の上面に固着されており、その他端部にプラグ５が装着されている。また、アーム部４の内部には、プラグPの受電端子５１（後述する）と、連結部材３の内部に設けられた電源部とを電気的に接続するための電線（図示せず）が配線されている。
【００３７】
次に、配線ダクト６及びプラグ５について図１を参照しながら説明する。
なお、本実施形態で用いられる配線ダクト６及びプラグ５は、周知な構成であるため、説明を簡略化する。
【００３８】
配線ダクト６は、下面中央に開口が形成された長尺な角筒状に形成されており、その筒内・両側に、照明ユニット１に電力を供給する給電端子６１が長手方向に沿って設けられている。また、プラグ５は、上端側に、配線ダクト６の下面中央の開口に着脱自在に挿嵌する嵌合部が設けられている。この嵌合部には、配線ダクト６に挿嵌されたときに、給電端子６１に当接して、給電端子６１から供給される電力を受電する受電端子５１が設けられている。
【００３９】
上記の構成により、配線ダクト６にプラグ５を取り付けると、配線ダクト６の給電端子６１からの電力がプラグ５を介して連結部材３の内部に収容された電源部（図示せず）に供給されて、この電源部からの電力が制御回路（図示せず）を介して光源部２０に供給され、照明ユニット１の発光面ＬＳが発光する。
【００４０】
次に、本実施形態の照明器具Ｗの配線ダクト６への設置例について図４を参照しながら説明する。なお、図４は、本実施形態の照明器具を配線ダクトに取り付けた状態を示した模式図である。
【００４１】
本実施形態の照明器具Ｗは、２本のアーム部４に取り付けられた受電端子５１がダクト長手方向にならう様な方向で配線ダクト６にプラグ５を押し込んで挿嵌させ、プラグを略９０度回転させることで受電端子51が給電端子６１と接続されるようになっている（照明ユニット１は、アーム部４を介して配線ダクト６に取り付けられた状態になる）。図４に示す例では、配線ダクト６が天井（図示せず）に取り付けられているため、照明ユニット１は、アーム部４を介して配線ダクト６に対して吊り下げられた状態で保持されている。
【００４２】
なお、図示する例では、配線ダクト６に脱落防止用のフック７０が取り付けられている。このフック７０にはワイヤ７１が吊着されており、ワイヤ７１の下端部が照明ユニット１の裏面に接続されている。このフック７０及びワイヤ７１により、配線ダクト６への取付け（或いは取外し）作業の際の照明器具Ｗの脱落防止や地震等の災害時の照明器具Ｗの脱落防止が図られている。
【００４３】
次に、本実施形態の照明器具Ｗの照明ユニット１の動作について、図５を参照しながら説明する。なお、図５は、本実施形態の照明器具を構成する照明ユニットの回動動作を説明するための模式図である。
【００４４】
配線ダクト６に対して吊り下げられた状態で取り付けられた照明器具Wに対して、例えば、ユーザが照明ユニット１の端部を手で持ち、上下に動作させると、図示するように、アーム部４に対して照明ユニット１が回動して（ヒンジ部Ｈを介して回動して）、発光面LSが任意の角度に維持された状態に設定できるようになっている。
【００４５】
本実施形態では、照明ユニット１は、発光面ＬＳがアーム部４の長手方向に対して直角になっている状態（図中の実線で示す照明ユニット１の状態）から、所定角度（例えば９０度の範囲）の範囲で回動できるようなっている。また、照明ユニット１は、発光面ＬＳが所定角度のなかの任意の角度に維持された状態で、連結部材３を介してアーム部４に保持されるようになっている。
【００４６】
このように、本実施形態によれば、上述した従来技術のように、複数の脚部を伸縮させることで発光面LSの角度を調整して設定するのではなく、照明ユニット１の端部などを上下に動作させるという簡単な作業により、アーム部４に対して照明ユニット１を回動させて、発光面ＬＳの角度（照射方向）を設定することができる。すなわち、本実施形態によれば、上述した従来技術の面状発光型照明システムと比べて、面状発光する発光面ＬＳの角度（照射方向）を簡単に設定することができる。
【００４７】
以上説明したように、本実施形態では、面状発光する発光面ＬＳが設けられた照明器具Ｗであって、簡単に設置できると共に、照射角度の調整を容易にできる照明器具を提供することができる。
【００４８】
なお、本発明は、上述した実施形態に限定されるものではなく、その要旨の範囲内において種々の変更が可能である。
【００４９】
例えば、上述した実施形態の照明ユニット１の構成は一例に過ぎない。照明ユニット１は、内部に光源が収容されていると共に一方面に面状発光する発光面が設けられているものであれば良く、光源２０の種類や配置については適宜設計される。例えば、光源２０は、LED基板ユニットではなく、有機EL素子を備える有機ELパネル（面状発光モジュール）により構成されていても良い。
【００５０】
また、上述した実施形態では、2本のアーム部４が設けられていたが、アーム部４の数は、適宜設計される（例えば、アーム部４が１本であっても良い）。
【００５１】
また、アーム部４が長手方向に対して伸縮可能に構成され、長手方向の長さ寸法を調整できるようになっていてもよい。例えば、アーム部４には、中空筒上のガイド基部と、ガイド基部の筒内に出し入れ自在に収容されたロッド部とを備えるものを用いることができる。この場合、ロッド部は、ガイド基部に対する突出寸法を調整できるようになっている。例えば、アーム部４が油圧シリンダーやエアシリンダーにより構成されていても良い。
この構成によれば、ヒンジ部Ｈの回動及びアーム部４の伸縮により、発光面ＬＳの照射方向と、照射面の高さ寸法の双方の調整が可能になる。
【００５２】
また、上述した実施形態の照明器具Wは、照明ユニット１を手動で動かして、発光面ＬＳの角度を調整するようになっていたが、図６に示す変形例のように、照明ユニット１の裏面側に設けたシリンダー８により、照明ユニット１の発光面LSの角度を調整できるようにしても良い。なお、図６は、本実施形態の照明器具の変形例を示した模式図である。
【００５３】
図６に示すように、シリンダー８は、シリンダーチューブ８１と、シリンダーチューブ８１内を摺動自在に往復動作するように組み込まれたピストン（図示せず）と、一端部が前記ピストンに固定され且つ他端部がシリンダーチューブ８１から突出したピストンロッド８２とを備えている。なお、シリンダー８には、油圧シリンダーやエアシリンダーが
を用いることができる。
また、上記のシリンダー８は、一端部（シリンダーチューブ８１の後端部）がアーム部４の上端部に設けられたプラグ５の側面部に回動自在に取り付けられ、他端部（ピストンロッド８２の先端部）が照明ユニット１の裏面の縁部近傍に取り付けられている。また、シリンダー８は、例えば、ユーザが操作するリモコン端末と通信する通信機能を有し、リモコン端末からの制御信号を受信すると、受信した制御信号に応じて、シリンダーチューブ８１の先端部を基準にして、ピストンロッド８２の伸縮動作を行うようになっている。
【００５４】
そして、図６に示すように、照明ユニット１の発光面ＬＳが平行（図示しない床面と平行）な状態の照明器具W′に対して、前記リモコン端末を介して、シリンダー８を操作して、シリンダー８のピストンロッド８２を伸ばしたとする。この場合、照明ユニット１は、ヒンジ部Hを支点にして、図中のa方向に回動して（アーム部４に対して回動して）、発光面ＬＳが傾斜した状態（右下がりに傾斜した状態）になる。
一方、図６に示す状態の照明器具W′に対して、前記リモコン端末を介して、シリンダー８を操作して、シリンダー８のピストンロッド８２を縮めたとする。この場合、照明ユニット１は、ヒンジ部Hを支点にして、図中のｂ方向に回動して（アーム部に対して回動して）、発光面ＬＳが傾斜した状態（左下がりに傾斜した状態になる）になる。
【００５５】
このように、本変形例によれば、シリンダー８により、照明ユニット１の発光面LSの角度を調整できる。そのため、例えば、上述したようなリモコン端末により操作できるシリンダー８を用いることにより、天井に設置された配線ダクト６に吊り下げられた状態で取り付けられた照明器具W′に対して、ユーザは、脚立等を使うことなく、前記リモコン端末を操作することにより、照明器具W′の発光面ＬＳの角度を調整することができる。すなわち、本変形例によれば、ユーザが高所で、発光面ＬＳの角度を調整する作業を行う必要がなくなり作業の安全性が確保されると共に、調整作業が簡略化される。
【符号の説明】
【００５６】
Ｗ、Ｗ′…照明器具
１…照明ユニット
１０…ケース部
１０ａ…フレーム部（ケース部）
１０ｂ…裏板（ケース部）
１１…導光板（アクリル板）
１２…反射板
１３…拡散板
２０…光源
２０ａ…ＬＥＤ素子（光源）
２０ｂ…基板（光源）
３…連結部材
４…アーム部
５…プラグ
５１…受電端子（プラグ）
６…配線ダクト
６１…給電端子
７０…フック
７１…ワイヤ
８…シリンダー
８１…シリンダーチューブ
８２…ピストンロッド
【図１】
2019029176.tif 000003
【図２】
2019029176.tif 000004
【図３】
2019029176.tif 000005
【図４】
2019029176.tif 000006
【図５】
2019029176.tif 000007
【図６】
2019029176.tif 000008